(57)【特許請求の範囲】
【請求項１】
Ｘ線を発生するＸ線発生部と、
このＸ線発生部によって発生されるＸ線のエネルギーを制御するＸ線制御手段と、
このＸ線制御手段によって制御されたＸ線エネルギーに対応して前記Ｘ線透視画像のハレーション現象がおこる画素値をしきい値として記憶するしきい値記憶手段と、
前記Ｘ線発生部のＸ線が照射される側に配置され前記Ｘ線を減弱する部材から形成されるＸ線補償フィルタと、
被検体を挟み前記Ｘ線発生部と対向して配置され前記被検体を透過した前記Ｘ線を受けて光学画像に変換するイメージ・インテンシファイアと、このイメージ・インテンシファイアによって変換された前記光学画像を撮影し透視画像を出力するテレビカメラと、
このテレビカメラによって出力された透視画像を前記しきい値記憶手段に記憶されたしきい値以上の画素領域を前記Ｘ線補償フィルタの挿入領域として算出する挿入領域算出手段と、
この挿入領域算出手段によって算出された挿入領域に前記Ｘ線補償フィルタを挿入するフィルタ制御手段と、
を備えるＸ線画像診断装置において、あらかじめ定められたＸ線エネルギーで測定された前記Ｘ線補償フィルタの減弱率を記憶する減弱率記憶手段と、この減弱率記憶手段に記憶された減弱率と前記Ｘ線制御手段により制御されたＸ線エネルギーから前記Ｘ線補償フィルタの減弱量を計算する減弱量計算手段とを備え、前記フィルタ制御手段は前記減弱量演算部により計算された減弱量に基づき前記Ｘ線補償フィルタを制御することを特徴とするＸ線画像診断装置。
【発明の詳細な説明】
【０００１】
【発明の属する技術分野】
本発明は、透視画像を用いてＸ線補償フィルタを挿入／退避制御するフィルタ制御装置を有するＸ線画像診断装置に係り、特にＸ線撮影条件に応じてＸ線補償フィルタを適正に配置して良好なＸ線透視画像を得ることができるＸ線画像診断装置に関する。
【０００２】
従来のＸ線画像診断装置は、特開平０５ー２５３２１３号公報に開示されている構成を有する。
【０００３】
上記構成のうち、Ｘ線補償フィルタ制御装置は、上記構成のテレビカメラと電気的に接続され前記テレビカメラより出力される透視画像データを記憶する透視画像記憶部と、この透視画像記憶部と電気的に接続され前記透視画像記憶部から透視画像データを読み出して前記透視画像データが輝度的に高い画素値を呈して画面に表示しても階調が識別できない現象（「ハレーション現象」という）のおこる画素値（「しきい値」という）以上の画素領域を上記構成のＸ線補償フィルタで覆うための制御量を算出する制御量算出手段と、この制御量算出手段と電気的に接続され前記制御量に基づいた前記Ｘ線補償フィルタが前記画素領域の形状、位置により、前記Ｘ線補償フィルタをしきい値以上の画素領域には挿入し、しきい値未満の画素領域から退避させるフィルタ制御部とを有している。また、前記しきい値は被検体の撮影部位およびＸ線を発生する条件即ち上記構成のＸ線発生部に供給する電源の電圧（以下「管電圧」という）、電流（以下「管電流」という）とＸ線照射時間の条件（「Ｘ線撮影条件」という）によって予め設定されている。
このように、Ｘ線補償フィルタ制御装置は予め設定されているしきい値以上の領域を覆い隠すように前記Ｘ線補償フィルタを挿入している。
また、ある透視画像データにあらかじめ設定されたしきい値に基づき、既にＸ線補償フィルタが挿入されている場合、現在配置された前記Ｘ線補償フィルタ位置情報に基づき前記透視画像データ上での前記Ｘ線補償フィルタ位置を算出し、前記Ｘ線補償フィルタが挿入されたことによるＸ線の減弱量を記憶しておいて、前記減弱量に基づき前記Ｘ線補償フィルタに覆われなかった透視画像データに補正し、前記透視画像データと別個の透視画像データに予め設定されているしきい値以上の画素領域を覆い隠すように前記Ｘ線補償フィルタを挿入し、しきい値未満の画素領域から前記Ｘ線補償フィルタを退避させている。
【０００４】
【発明が解決しようとする課題】
最近従来の画像診断に加えて、その画像を見ながら病巣部にカテーテルを進めて治療するインターベンショナル・ラジオロジということが盛んに行われている。そのようなことから、例えば被検体の撮影位置を前記カテーテルに追従させて移動させたいという要求がある。当然、被検体を動かせばそのＸ線の透過する厚さが変化し、それに伴いＸ線撮影条件も変化させる必要がある。このように前記被検体をＸ線補償フィルタが診断対象に適合した画素領域以外の画素領域（例えば前記ハレーション現象のある画素領域）を覆うように必ずしも挿入されてないという問題点があった。
【０００５】
本発明は、上記問題点を解決するためになされたものであり、その目的は、Ｘ線補償フィルタをＸ線撮影条件の変化に追従して診断対象に適合した画素領域以外の画素領域を覆うような位置に挿入制御し、もって診断に好適なＸ線透視画像の得られるＸ線画像診断装置を提供することにある。
【０００６】
【課題を解決するための手段】
上記目的は、Ｘ線を発生するＸ線発生部と、前記Ｘ線によるＸ線撮影条件を制御するＸ線制御手段と、前記Ｘ線が照射される側に配置され前記Ｘ線を減弱する部材から形成されるＸ線補償フィルタと、被検体を挟み前記Ｘ線発生部と対向して配置され前記被検体を透過した前記Ｘ線を受けて光学画像に変換するイメージ・インテンシファイアと、このイメージ・インテンシファイアと光学的に接合され前記光学画像を撮影し透視画像を出力するテレビカメラと、このテレビカメラと接続され前記透視画像を記憶する透視画像記憶手段と、前記Ｘ線撮影条件に対応して前記Ｘ線透視画像のハレーション現象がおこる画素値をしきい値として記憶するしきい値記憶手段と、前記透視画像記憶手段と前記しきい値記憶手段とそれぞれ接続され前記透視画像を読み出して前記しきい値以上の画素領域を前記Ｘ線補償フィルタの挿入領域として算出する挿入領域算出手段と、前記Ｘ線補償フィルタと前記挿入領域算出手段とそれぞれ接続され前記Ｘ線補償フィルタを前記挿入領域へ挿入するフィルタ制御手段を備えるＸ線画像診断装置において、前記Ｘ線補償フィルタが第１のＸ線撮影条件の挿入領域に配置され、前記Ｘ線制御手段が前記第１のＸ線撮影条件と異なる第２のＸ線撮影条件に設定されたとき、前記Ｘ線制御手段に接続され前記第２のＸ線撮影条件の前記第１のＸ線撮影条件に対応して配置された前記Ｘ線補償フィルタによる前記Ｘ線の減弱量を計算する減弱量計算手段と、この減弱量計算手段に接続され前記減弱量に基づき前記Ｘ線補償フィルタの挿入されないときのＸ線透視画像の各画素値に換算して換算画像とする画像換算手段を備え、前記挿入領域算出手段が前記画像換算手段とも接続され前記換算画像のＸ線撮影条件に対応するしきい値から前記しきい値以上の画素領域を前記Ｘ線補償フィルタの前記第２のＸ線撮影条件に対応した挿入領域として算出し、前記フィルタ制御手段が前記Ｘ線補償フィルタを前記第２のＸ線撮影条件に対応した挿入領域へ挿入することで達成される。
【０００７】
また、Ｘ線を発生するＸ線発生部と、前記Ｘ線によるＸ線撮影条件を制御するＸ線制御手段と、前記Ｘ線が照射される側に配置され前記Ｘ線を減弱する部材から形成されるＸ線補償フィルタと、被検体を挟み前記Ｘ線発生部と対向して配置され前記被検体を透過した前記Ｘ線を受けて光学画像に変換するイメージ・インテンシファイアと、このイメージ・インテンシファイアと光学的に接合され前記光学画像を撮影し透視画像を出力するテレビカメラと、このテレビカメラと接続され前記透視画像を記憶する透視画像記憶手段と、前記Ｘ線撮影条件に対応して前記Ｘ線透視画像のハレーション現象がおこる画素値をしきい値として記憶するしきい値記憶手段と、前記透視画像記憶手段と前記しきい値記憶手段とそれぞれ接続され前記透視画像を読み出して前記しきい値以上の画素領域を前記Ｘ線補償フィルタの挿入領域として算出する挿入領域算出手段と、前記Ｘ線補償フィルタと前記挿入領域算出手段とそれぞれ接続され前記Ｘ線補償フィルタを前記挿入領域へ挿入するフィルタ制御手段を備えるＸ線画像診断装置において、前記Ｘ線補償フィルタが第１のＸ線撮影条件の挿入領域に配置され、前記Ｘ線制御手段が前記第１のＸ線撮影条件と異なる第２のＸ線撮影条件に設定されたとき、前記Ｘ線制御手段に接続され前記第２のＸ線撮影条件の前記第１のＸ線撮影条件に対応して配置された前記Ｘ線補償フィルタによる前記Ｘ線の減弱量を予め計算して記憶する減弱量記憶手段と、この減弱量記憶手段に接続され前記減弱量に基づき前記Ｘ線補償フィルタの挿入されないときのＸ線透視画像の各画素値に換算して換算画像とする画像換算手段を備え、前記挿入領域算出手段が前記画像換算手段とも接続され前記換算画像のＸ線撮影条件に対応するしきい値から前記しきい値以上の画素領域を前記Ｘ線補償フィルタの前記第２のＸ線撮影条件に対応した挿入領域として算出し、前記フィルタ制御手段が前記Ｘ線補償フィルタを前記第２のＸ線撮影条件に対応した挿入領域へ挿入することで達成される。
【０００８】
【発明の実施の形態】
本発明のＸ線画像診断装置の実施の形態についてそれぞれ図面を用いて説明する。
【０００９】
まず、第一の実施の形態について、図１〜図４を用いて説明する。
図１は本発明のＸ線画像診断装置の第一の実施の形態の構成例を示すブロック図、図２は図１のＸ線補償フィルタの構成例を示す構造図、図３はＸ線撮影条件のうちの管電圧とＸ線のエネルギー吸収（相対値）の特性を示す曲線を表したグラフ、図４は透視画像上において図２のＸ線補償フィルタ４が移動する前後の画像の表示例を示す図である。
【００１０】
第一の実施の形態のＸ線画像診断装置は、寝台２とＸ線発生部３とＸ線補償フィルタ４とイメージ・インテンシファイア（以下「Ｉ．Ｉ．」という）５とテレビカメラ６と画像表示処理部７と表示出力部８と透視画像記憶部９と挿入位置算出部１０とフィルタ制御部１１と減弱率記憶部１２と減弱量演算部１３とＸ線発生制御部１４と高圧発生部１５と入力操作部１６と中央処理部１７とを有している。
寝台２は被検体１を搭載して床面から適当な高さに被検体１を支持している。Ｘ線発生部３はＸ線を発生する。Ｘ線補償フィルタ４は前記Ｘ線が発生して照射される側で被検体１とＸ線発生部３の間に配置され前記Ｘ線を減弱させる。Ｉ．Ｉ．５は被検体１を間に挟んでＸ線発生部３と対向配置され被検体１を透過したＸ線を蛍光面に入力し光学画像に変換出力する。テレビカメラ６はＩ．Ｉ．５と光学的に接合され前記光学画像を入力し電気信号に変換出力する。画像表示処理部７はテレビカメラ６と電気的に接続され前記電気信号を階調データに変換出力する。表示出力部８は画像表示処理部７と電気的に接続され前記階調データを表示出力する。透視画像記憶部９はテレビカメラ６と電気的に接続され前記電気信号を透視画像データとして記憶する。挿入領域算出部１０は透視画像記憶部９と電気的に接続され前記透視画像データを読み出して予め設定されているしきい値以上の画素領域を算出する。フィルタ制御部１１は挿入領域算出部１０と電気的に接続され前記画素領域の形状、位置によりＸ線補償フィルタ４をしきい値以上の画素領域には挿入し、しきい値未満の画素領域から退避させる。減弱率記憶部１２は挿入領域算出部１０によってフィルタ挿入領域を算出するため、Ｘ線補償フィルタを形成するアルミニウム、銅などのＸ線減弱部材がどのくらいＸ線を減弱するかという減弱率データρを記憶している。減弱量演算部１３は減弱率記憶部１２とＸ線発生制御部１４とそれぞれ電気的に接続され前記減弱率データρと次式で表されるＸ線撮影条件Ｅ（「Ｘ線エネルギー」ともいう。）によって前記Ｘ線補償フィルタの減弱量Ｆを演算する。
Ｅ＝ｋＶｎｉｔ                                                …（式１）
Ｅ：Ｘ線エネルギー、ｋ：定数、Ｖ：管電圧［ｋＶ］、ｉ：管電流［ｍＡ］
ｔ：Ｘ線照射時間［秒］、ｎ：管電圧に係るべき乗数（２≦ｎ≦５）
（日本放射線技師会編、「改訂増補版診療放射線データブック」、１９８４年９月発行、マグブロス出版、第３２頁から抜粋。）
Ｆ＝ρＥ  （線形の減弱の場合）                                …（式２）
Ｘ線発生制御部１４は高圧発生部１５と電気的に接続されＸ線発生部３に与える管電圧、管電流、Ｘ線照射時間などのＸ線撮影条件を制御する。高圧発生部１５はＸ線発生部３と電気的に接続され前記Ｘ線撮影条件に基づいた電力量をＸ線発生部３に供給し作動させる。入力操作部１６は中央処理部１７と操作者がＸ線撮影条件などの各種情報を入力する。中央制御装置１５はＸ線補償フィルタ４、Ｉ．Ｉ．５、テレビカメラ６、画像表示処理部７、透視画像記憶部９、挿入領域算出部１０、フィルタ制御部１１、減弱量記憶部１２、減弱量演算部１３、Ｘ線発生制御部１４のそれぞれと電気的に接続され前記各情報に基づきそれぞれを制御する。
【００１１】
また、Ｘ線補償フィルタ４は、図２に示すように、図面上部に位置するＵ部、下方に位置するＤ部、左方に位置するＬ部、右方に位置するＲ部からなる４枚の羽根で構成され、各羽根Ｕ、Ｄ、Ｌ、Ｒの各部は、図面の円が示す透視画像の表示領域を中心として、前後あるいは左右に平行移動するか、回転移動して、４枚の羽根で形成される開口の大きさなどが調整される。
【００１２】
また、（式１）が示しているようにＸ線撮影条件において最も影響の大きい管電圧とＸ線のエネルギー吸収の相対値の特性（Ｉ．Ｉ．５の蛍光面の代表的な材質であるヨウ化セシウム（化学式：ＣｓＩ））のうちの特に人体などを被検体としたときの管電圧は４０〜１２０［ｋＶ］の部分だけを抜粋すると、図３の点線に表す特性になる。これと同じ方法で減弱率ρのＸ線補償フィルタを介した場合を測定してみると、ρを用いて表せば、点線で示す特性に１−ρを乗じた特性をほぼ示し、図３の実線で表されることを発明者は検証した。
【００１３】
次に、第一の実施の形態のＸ線画像診断装置の動作について説明する。
Ｘ線発生部３からＸ線補償フィルタ４を通して被検体１に照射されたＸ線は、被検体１を透過してＩ．Ｉ．５で光学画像に変換される。前記光学画像は、テレビカメラ６で撮像され、透視画像記憶部９に記憶される。挿入領域算出部１０は、あらかじめ設定されたしきい値以上の画素領域をＸ線補償フィルタ４で覆うための画素領域として算出する。フィルタ制御部１１は前記画素領域の形状、位置によりＸ線補償フィルタ４をしきい値以上の画素領域には挿入し、しきい値未満の画素領域から退避させる。
ここで、さらに具体的に説明するために、Ｘ線補償フィルタ４が、図４（ａ）で示されるように挿入されている場合から図４（ｂ）で示されるように挿入されている場合へ移動することを例示する。ここでは、説明を簡単にするため、Ｕ、Ｄ、Ｌ、Ｒの各部の羽根のうちの１枚を用いる。
まず、図４（ａ）に対応する位置にＸ線補償フィルタ４が配置されの現在位置情報が透視画像データ上でのＸ線補償フィルタ４の挿入位置を中央処理部１７が検知する。このようなＸ線補償フィルタの配置条件で、例えば管電圧７０［ｋＶ］、管電流とＸ線照射時間を一定とした（以下の撮影においても同じ。）Ｘ線撮影条件で透視画像データを得る。前記画像データは画像表示処理部８を通して、表示出力部９に図４（ａ）のように表示出力される。
次に、被検体が移動してＸ線を透過する厚さが厚くなり、管電圧７０［ｋＶ］のＸ線発生条件では、充分な透過Ｘ線が得られないので、例えば管電圧８０［ｋＶ］にＸ線撮影条件を上げて調整することが行われる。また図３に示されるように管電圧を高くすればＸ線の吸収量が小さくなり、Ｘ線補償フィルタを構成する羽根型の減弱部材に関しても同じことがいえるので、管電圧を上昇させたＸ線撮影条件の下では、以前ハレーション現象のおこらないところにおきるから、しきい値未満の画素領域を適正に表示するために、このＸ線撮影条件下でのＸ線補償フィルタ４をしきい値以上の画素領域までＸ線補償フィルタ４を挿入させる、即ちＸ線補償フィルタ４がなす開口を現在位置から狭める必要がある。
そこで、被検体の厚さが厚くなったとき、Ｘ線補償フィルタ４の挿入によるＸ線減弱分を、減弱率記憶部１２から記憶されたＸ線補償フィルタの減弱部材による減弱率を読み出して、減弱量演算部１３で演算された減弱量を用いて、Ｘ線補償フィルタ４がない場合の透視画像データを演算する。挿入位置算出部１０は、前記透視画像データを用いて、新たなＸ線撮影条件８０［ｋＶ］でのあらかじめ設定されたしきい値に基づきＸ線補償フィルタ４の位置を算出するとともに、前記現在位置との差から前記羽根の移動量を算出する。フィルタ制御部１１は、前記移動量に基づきＸ線補償フィルタ４を移動して、前記開口を狭める。このようなＸ線補償フィルタの配置条件で、管電圧８０［ｋＶ］のＸ線撮影条件で透視画像データを得る。前記画像データは画像表示処理部８を通して、表示出力部９に図４（ｂ）のように表示出力される。
また、被検体が移動してＸ線を透過する厚さが薄くなり、上記管電圧７０［ｋＶ］、のＸ線発生条件では、前記被検体に与えるＸ線の被曝線量の点で相応しくないので、例えば管電圧６０［ｋＶ］にＸ線撮影条件を下げて調整することが行われる。また図３に示されるように管電圧を低くすればＸ線の吸収量が大きくなり、Ｘ線補償フィルタを構成する羽根型の減弱部材に関しても同じことがいえるので、下降させたＸ線撮影条件の下では、ハレーション現象のおこらないところまでＸ線補償フィルタで覆ってしまうことがあるから、しきい値未満の画素領域をＸ線補償フィルタを介在せずに表示するために、このＸ線撮影条件下でのＸ線補償フィルタ４をしきい値以上の画素領域までＸ線補償フィルタ４を退避させる、即ち前記開口を現在位置から拡げる必要がある。この場合は、前記開口を狭めるものか、拡げるものかの違いだけであるので、説明を省略する。
【００１４】
第一の実施の形態のＸ線画像診断装置は、以上のように構成されているので、Ｘ線補償フィルタ４をＸ線撮影条件の変化に追従して診断対象に適合した画素領域以外の画素領域を覆うような位置に挿入制御できる。
【００１５】
次に、第二の実施の形態について、図２〜図５を用いて説明する。
図２〜図４は第一の発明の実施の形態で説明したからその説明を省略する。図５は本発明のＸ線画像診断装置の第二の実施の形態の構成例を示すブロック図である。
【００１６】
第二の実施の形態のＸ線画像診断装置は、寝台２とＸ線発生部３とＸ線補償フィルタ４とＩ．Ｉ．５とテレビカメラ６と画像表示処理部７と表示出力部８と透視画像記憶部９と挿入位置算出部１０とフィルタ制御部１１と減弱量換算記憶部１８とＸ線発生制御部１４と高圧発生部１５と入力操作部１６と中央処理部１７とを有している。
寝台２とＸ線発生部３とＸ線補償フィルタ４とＩ．Ｉ．５とテレビカメラ６と画像表示処理部７と表示出力部８と透視画像記憶部９と挿入位置算出部１０とフィルタ制御部１１とＸ線発生制御部１４と高圧発生部１５と入力操作部１６は第一の発明の実施の形態で説明したからその説明を省略する。減弱量換算記憶部１８はいわば減弱率記憶部１２と減弱量演算部１３の機能を併せ持つもので、挿入位置算出部１１とＸ線発生制御部１４とそれぞれ電気的に接続され挿入領域算出部１０によってフィルタ挿入領域を算出するため、Ｘ線補償フィルタを形成するアルミニウム、銅などのＸ線減弱部材がどのくらいＸ線を減弱するかという減弱率データρから前記Ｘ線補償フィルタの減弱量Ｆをあらかじめ（式１）、（式２）から換算して記憶される。中央制御装置１５はＸ線補償フィルタ４、Ｉ．Ｉ．５、テレビカメラ６、画像表示処理部７、透視画像記憶部９、フィルタ挿入領域算出部１０、フィルタ制御部１１、減弱量換算記憶部１８、Ｘ線発生制御部１４のそれぞれと電気的に接続され前記各情報に基づきそれぞれを制御する。
【００１７】
次に、第二の実施の形態のＸ線画像診断装置の動作について説明する。
まず、図４（ａ）に対応する位置にＸ線補償フィルタおけるＸ線透視画像の表示出力については、第一の実施の形態と同じであるので、説明を省略する。
次に、被検体が移動してＸ線を透過する厚さが厚くなり、Ｘ線補償フィルタ４の挿入によるＸ線減弱分を、減弱量換算記憶部１８から記憶されたＸ線補償フィルタの減弱部材による減弱量を読み出して、中央処理部１７か画像表示処理部８が有する演算部がＸ線補償フィルタ４がない場合の透視画像データを演算する。挿入位置算出部１０は、前記透視画像データを用いて、新たなＸ線撮影条件８０［ｋＶ］でのあらかじめ設定されたしきい値に基づきＸ線補償フィルタ４の位置を算出するとともに、前記現在位置との差から前記羽根Ｕ、Ｄ、Ｌ、Ｒの各部の移動量を各々に算出する。フィルタ制御部１１は、各々羽根ごとに算出した前記移動量に基づきＸ線補償フィルタ４を移動して、前記開口を狭める。このようなＸ線補償フィルタの配置条件で、管電圧８０［ｋＶ］のＸ線撮影条件で透視画像データを得る。前記画像データは画像表示処理部８を通して、表示出力部９に図４（ｂ）のように表示出力される。
【００１８】
第二の実施の形態のＸ線画像診断装置は、以上のように構成されているので、Ｘ線補償フィルタ４をＸ線撮影条件の変化に追従して診断対象に適合した画素領域以外の画素領域を覆うような位置に挿入制御できるとともに、第一の実施の形態で説明した減弱量演算部による演算が不要なので、より迅速にＸ線撮影条件の変化に追従することができる。また、減弱率記憶部と減弱量演算部に代えて減弱量換算記憶部だけでよいので、より簡単な構造でＸ線撮影条件の変化に追従することができる。
【００１９】
また、第三の実施の形態のＸ線画像診断装置として、図２で説明したＸ補償フィルタを構成する羽根をＸ線の照射方向にに多重化してＸ線撮影条件の変化に追従する制御をしてもよい。図６に各羽根がそれぞれ２枚ずつあるＸ線補償フィルタの構成図を示す。これらの２枚の各羽根は、ハレーション現象がおきている画素領域と、ハレーション現象がおきていないが管電圧を昇圧すればすぐにハレーション現象がおこる画素領域（以下「ハレーション現象がおきそうな画素領域」という）のそれぞれを覆うように使い分ける。例えばハレーション現象がおきている画素領域は２枚の羽根を重ねて挿入し、ハレーション現象がおきそうな画素領域は２枚のちの一方の羽根を挿入する。例としてＸ線の吸収率が比較的少ない材質でＵ、Ｄ、Ｌ、Ｒの羽根を構成し、吸収率の多い材質でＵ１、Ｄ１、Ｌ１、Ｒ１を構成する。すなわち、ハレーション現象がおきそうな画素領域にはＵ、Ｄ、Ｌ、Ｒで構成されるＸ線補償フィルタのみを挿入し、ハレーション現象がおきている画素領域にはＵ１、Ｄ１、Ｌ１、Ｒ１を挿入する。またさらに管電圧を昇圧したときはＵとＵ１、ＤとＤ１、ＬとＬ１、ＲとＲ１をそれぞれ重ねて挿入してもよい。
【００２０】
第三の実施の形態のＸ線画像診断装置は、以上のように構成されているので、Ｘ線補償フィルタ４をＸ線撮影条件の変化に追従して診断対象に適合した画素領域以外の画素領域を覆うような位置に挿入制御できるとともに、第一の実施の形態および第二の実施の形態より、複数に多重化した羽根によってＸ線撮影条件の変化に微細に追従させることができる。
【００２１】
上述した各実施の形態をどのように組み合わせても、Ｘ線補償フィルタ４をＸ線撮影条件の変化に追従して診断対象に適合した画素領域以外の画素領域を覆うような位置に挿入制御できることはいうまでもない。
【００２２】
【発明の効果】
本発明は、前記Ｘ線減弱量算出手段が任意に変更する前記Ｘ線撮影条件に基づいて前記Ｘ線補償フィルタの挿入位置を前記Ｘ線補償フィルタが挿入されるときの前記Ｘ線の減弱量を算出し、前記Ｘ線補償フィルタ挿入領域算出手段が前記減弱量に基づき前記画素領域を算出し、前記Ｘ線補償フィルタ制御手段が前記減弱量に基づいた前記画素領域により前記Ｘ線補償フィルタの挿入あるいは退避をするので、Ｘ線補償フィルタをＸ線撮影条件の変化に追従して診断対象に適合した画素領域以外の画素領域を覆うような位置に挿入制御できるから、前記Ｘ線補償フィルタが適正な位置であって、診断に好適なＸ線透視画像の得られるＸ線画像診断装置を提供することができるという効果を奏する。
【図面の簡単な説明】
【図１】本発明のＸ線画像診断装置の第一の実施の形態の構成例を示すブロック図。
【図２】図１のＸ線補償フィルタの構成例を示す構造図。
【図３】Ｘ線撮影条件のうちの管電圧とＸ線のエネルギー吸収（相対値）の特性を示す曲線を表したグラフ。
【図４】透視画像上において図２のＸ線補償フィルタ４が移動する前後の画像の表示例を示す図。
【図５】本発明のＸ線画像診断装置の第二の実施の形態の構成例を示すブロック図。
【図６】各羽根がそれぞれ２枚ずつあるＸ線補償フィルタの構成図。
【符号の説明】
１１  フィルタ制御部
１２  減弱率記憶部
１３  減弱量演算部
１８  減弱量換算記憶部
【図１】
0003623308.tif 000002
【図２】
0003623308.tif 000003
【図３】
0003623308.tif 000004
【図４】
0003623308.tif 000005
【図５】
0003623308.tif 000006
【図６】
0003623308.tif 000007